(57)【特許請求の範囲】
【請求項１】
湯沸かし用の内容器と、該内容器を加熱する加熱手段と、前記内容器内の湯を給湯通路を介して給湯する電動ポンプと、該電動ポンプの発停を制御する給湯スイッチと、前記電動ポンプによる給湯量を所定量に設定する定量給湯設定手段と、該定量給湯設定手段により設定された設定給湯量だけ給湯を行うように前記電動ポンプの駆動制御を行う定量給湯制御手段とを備えた電気貯湯容器であって、前記定量給湯制御手段による定量給湯の終了後に前記給湯スイッチがＯＦＦ操作された場合には、その後第１の設定時間が経過した後において前記給湯スイッチをＯＮ操作すれば前記電動ポンプの駆動による再定量給湯が開始され、前記第１の設定時間の経過後であって第２の設定時間が経過した場合には定量給湯モードが解除されるとともに給湯ロックモードに自動的に移行して初期状態となるように構成したことを特徴とする電気貯湯容器。
【請求項２】
湯沸かし用の内容器と、該内容器を加熱する加熱手段と、前記内容器内の湯を給湯通路を介して給湯する電動ポンプと、該電動ポンプの発停を制御する給湯スイッチと、前記電動ポンプによる給湯量を所定量に設定する定量給湯設定手段と、該定量給湯設定手段により設定された設定給湯量だけ給湯を行うように前記電動ポンプの駆動制御を行う定量給湯制御手段とを備えた電気貯湯容器であって、前記定量給湯制御手段による定量給湯の終了後に前記給湯スイッチがＯＦＦ操作された場合には、その後第１の設定時間が経過した後において第２の設定時間が経過する前には前記給湯スイッチをＯＮ操作すれば定量給湯モードが解除されて前記電動ポンプの駆動による通常給湯が開始され、前記第２の設定時間が経過した場合には給湯ロックモードに自動的に移行して初期状態となるように構成したことを特徴とする電気貯湯容器。
【発明の詳細な説明】
【０００２】
【発明の属する技術分野】
【０００３】
本願発明は、電気ポット等として使用される電気貯湯容器に関し、さらに詳しくは定量給湯を行い得るように構成された電気貯湯容器に関するものである。
【従来の技術】
【０００４】
電気貯湯容器に貯湯されているお湯は、焼酎等のアルコール類の湯割りを作る場合や、インスタントコーヒー等を溶かす場合や、コーヒーや紅茶、緑茶等の抽出する場合に用いられることが多い。この場合、アルコール類やインスタントコーヒーの量、あるいは何人分の抽出を行うかに応じて必要な湯量がほぼ決まる。ところが、従来の電気貯湯容器では、お湯の給湯は給湯スイッチを押している間連続的に給湯が行われることとなっていた。
【０００５】
そこで、電動ポンプの駆動時間を必要な給湯量に見合うように設定することにより、貯湯されているお湯を必要な量だけ給湯することができるように構成した定量給湯可能な電気貯湯容器が提案されている（例えば、実開平３−１０３０２９号公報参照）。
【発明が解決しようとする課題】
【０００６】
ところで、上記公知例の電気貯湯容器の場合、定量給湯が終了した後においては通常給湯モードに戻るように構成されているため、定量給湯を繰り返し行う場合、通常給湯モードから定量給湯モードへの移行操作を繰り返し実行しなければならず、使い勝手がよくないという不具合があった。
【０００７】
なお、定量給湯を繰り返し行えるようにする場合、１回の定量給湯が終了した時点で定量給湯の終了を確認する制御をとりいれないと、お湯が出っぱなしとなるおそれがあり、安全性に問題が生ずる。
【０００８】
本願発明は、上記の点に鑑みてなされたもので、定量給湯を繰り返し行えるようにするとともに、定量給湯終了後における安全性を確保し得るようにすることを目的とするものである。
【課題を解決するための手段】
【０００９】
請求項１の発明では、上記課題を解決するための手段として、湯沸かし用の内容器と、該内容器を加熱する加熱手段と、前記内容器内の湯を給湯通路を介して給湯する電動ポンプと、該電動ポンプの発停を制御する給湯スイッチと、前記電動ポンプによる給湯量を所定量に設定する定量給湯設定手段と、該定量給湯設定手段により設定された設定給湯量だけ給湯を行うように前記電動ポンプの駆動制御を行う定量給湯制御手段とを備えた電気貯湯容器において、前記定量給湯制御手段による定量給湯の終了後に前記給湯スイッチがＯＦＦ操作された場合には、その後第１の設定時間が経過した後において前記給湯スイッチをＯＮ操作すれば前記電動ポンプの駆動による再定量給湯が開始され、前記第１の設定時間の経過後であって第２の設定時間が経過した場合には定量給湯モードが解除されるとともに給湯ロックモードに自動的に移行して初期状態となるように構成している。
【００１０】
上記のように構成したことにより、定量給湯の終了後に給湯スイッチがＯＦＦ操作された場合には、その後第１の設定時間が経過した後においては、前記給湯スイッチをＯＮ操作すれば電動ポンプの駆動による再定量給湯が開始されることとなる。従って、定量給湯終了後に一旦給湯スイッチがＯＦＦ操作されてから第１の設定時間の経過を待つという確認作業の後には、給湯スイッチのＯＮ操作により繰り返し定量給湯が可能となり、使い勝手が良好となる。しかも、第１の設定時間の経過後であって第２の設定時間が経過した後においては、定量給湯モードが解除されるとともに給湯ロックモードに自動的に移行して初期状態となるところから、不用意な給湯を防止することができることとなり、安全性が高くなる。
【００１１】
請求項２の発明では、上記課題を解決するための手段として、湯沸かし用の内容器と、該内容器を加熱する加熱手段と、前記内容器内の湯を給湯通路を介して給湯する電動ポンプと、該電動ポンプの発停を制御する給湯スイッチと、前記電動ポンプによる給湯量を所定量に設定する定量給湯設定手段と、該定量給湯設定手段により設定された設定給湯量だけ給湯を行うように前記電動ポンプの駆動制御を行う定量給湯制御手段とを備えた電気貯湯容器において、前記定量給湯制御手段による定量給湯の終了後に前記給湯スイッチがＯＦＦ操作された場合には、その後第１の設定時間が経過した後において第２の設定時間が経過する前には前記給湯スイッチをＯＮ操作すれば定量給湯モードが解除されて前記電動ポンプの駆動による通常給湯が開始され、前記第２の設定時間が経過した場合には給湯ロックモードに自動的に移行して初期状態となるように構成している。
【００１２】
上記のように構成したことにより、定量給湯の終了後に給湯スイッチがＯＦＦ操作された場合には、その後第１の設定時間が経過した後において第２の設定時間が経過する前には、前記給湯スイッチをＯＮ操作すれば定量給湯モードが解除されて電動ポンプの駆動による通常給湯が開始されることとなる。従って、定量給湯終了後に一旦給湯スイッチがＯＦＦ操作されてから第１の設定時間の経過を待つという確認作業の後には、給湯スイッチのＯＮ操作により通常給湯が可能となり、使い勝手が良好となる。しかも、第１の設定時間の経過後であって第２の設定時間が経過した後においては、給湯ロックモードに自動的に移行して初期状態となるところから、不用意な給湯を防止することができることとなり、安全性が高くなる。
【発明の実施の形態】
【００１３】
以下、添付の図面を参照して、本願発明の幾つかの好適な実施の形態について詳述する。
【００１４】
第１の実施の形態
図１ないし図６には、本願発明の第１の実施の形態にかかる電気貯湯容器が示されている。
【００１５】
この電気貯湯容器は、図１および図２に示すように、貯湯用の内容器３を備えた容器本体１と、該容器本体１を開閉する蓋体２と、前記内容器３を加熱する加熱手段である電気ヒータ４と、前記内容器３内の湯を外部へ給湯するための給湯通路５と、該給湯通路５を介して湯を送り出す電動ポンプ６とを備えて構成されている。
【００１６】
前記容器本体１は、外側面を構成する合成樹脂製の外ケース７と、内周面を構成する前記内容器３と、前記外ケース７と内容器３とを結合する合成樹脂製の環状の肩部材８と、底面を構成する合成樹脂製の底板９とからなっている。
【００１７】
前記内容器３は、ステンレス製の有底円筒形状の内筒１０とステンレス製の外筒１１との間に真空空間を有する真空二重構造体からなっており、その底部には、外周部を除いて前記内筒１０の底部のみにより構成された１枚板部３ａが形成されている。該１枚板部３ａの下面には、前記電気ヒータ４（例えば、雲母板に発熱体を保持させてなるマイカヒータ）が取り付けられている。前記内容器３の上端部には、前記内筒１０の上端部を絞り加工してなる小径の給水口３ｂが形成されている。符号１２は内容器３の温度（換言すれば、湯温）を検出する湯温検出手段として作用する温度センサー、１３は内容器３の満水位を表示する満水位表示部である。
【００１８】
前記蓋体２は、合成樹脂製の上板１４と該上板１４に対して外周縁が結合された合成樹脂製の下板１５とからなっており、前記肩部材８の後部に設けられたヒンジ受け１６に対してヒンジピン１７を介して開閉自在且つ着脱自在に支持されている。
【００１９】
また、この蓋体２には、電源が接続されていない状態でも給湯通路５を介しての給湯が可能なように、手動操作により駆動されるエアーポンプ１８が配設されている。該エアーポンプ１８は、前記蓋体２の略中央部に形成された円筒形状の凹部１９内に配設されたベローズタイプのものとされており、押圧板２０を介しての押圧操作により加圧空気が内容器３内に吹き込まれ、該加圧空気の圧力により内容器３内のお湯が給湯通路５を介して外部へ押し出されることとなっている。符号２１は蒸気排出通路、２２は蒸気排出通路２１の途中に配設された転倒止水弁である。
【００２０】
前記蓋体２における下板１５には、金属製のカバー部材２３が固定されており、該カバー部材２３の外周縁には、蓋体２の閉蓋時において前記内容器３の給水口３ｂに圧接されるシールパッキン２４が設けられている。
【００２１】
前記給湯通路５の途中である前記内容器３の下方位置には、前記電動ポンプ６が配設されており、この給湯通路５において内容器３における満水位表示部１３より下方となる直管部５ａには、該給湯通路５を通るお湯の流量を測定するための流量測定手段として作用する流量センサー２５が設けられている。
【００２２】
該流量センサー２５は、図３および図４に示すように、前記給湯通路５の途中の直管部５ａに設けられた透明なガラス管２６と、該ガラス管２６内において回転自在に枢支された回転体２７と、該回転体２７の回転数を検出する光センサー２８とからなっている。
【００２３】
前記回転体２７は、前記給湯通路直管部５ａ内において前記ガラス管２６を挟むようにして上下設けられた軸受２９，２９に対して軸支された回転軸３０にボス２７ａを遊嵌することにより回転自在に支持されるものであり、図５に示すように、給湯通路５を通るお湯の圧力を受ける３枚の駆動羽根３１，３１，３１と、該駆動羽根３１，３１，３１の上方であって前記光センサー２８の発光素子２８ａから受光素子２８ｂへの光の照射を遮断する一対の遮光羽根３２，３２とを備えて構成されている。該遮光羽根３２，３２は、前記ボス２７ａの外周に対して直角に立設された四角羽根とされている。
【００２４】
前記光センサー２８は、前記ガラス管２６の外側であって前記回転体２７におけるボス２７ａを避けた位置において発光素子２８ａから受光素子２８ｂへ光が照射されるように構成されており、回転体２７における遮光羽根３２，３２により発光素子２８ａから受光素子２８ｂへの光の照射が遮断される回数を測定することにより回転体２７の回転数が測定できるようになっている。前記発光素子２８ａおよび受光素子２８ｂは、前記ガラス管２６の外周に取り付けられ、着脱自在なセンサーカバー３４により閉蓋された箱状のセンサーホルダ３３内に保持されている。なお、本実施の形態においては、回転体２７における遮光羽根３２，３２は、光センサー２８における発光素子２８ａと受光素子２８ｂとの間に常時位置せしめられることとなっている。
【００２５】
図１において、符号３５は後述する各種スイッチ類を備えた操作パネル部、３６はスイッチ基板、３７は前記電動ポンプ６を駆動させる駆動電源回路を備えた電源基板である。
【００２６】
前記操作パネル部３５には、図２に示すように、給湯スイッチ３８、ロック解除スイッチ３９、沸騰／カルキ抜き／おやすみタイマースイッチ４０、保温選択スイッチ４１、定量給湯／キッチンタイマースイッチ４２、設定量変更スイッチ４３，４４、給湯表示灯４５、沸騰表示灯４６、保温表示灯４７、液晶表示装置４８が設けられている。
【００２７】
前記設定量変更スイッチ４３，４４は、時刻合わせ時の時刻設定変更際に操作されるとともに、電動ポンプ６による給湯量を所定量に設定する定量給湯設定手段として作用するものであり、設定給湯量の設定変更を行う際にも操作される。
【００２８】
通常給湯時および定量給湯時には、上記各種スイッチ類および各種表示灯は、以下のように操作され且つ表示される。
【００２９】
（１）  通常給湯
ロック解除スイッチ３９を押すと、給湯表示灯４５が点灯し、給湯スイッチ３８を押すと、通常の電動給湯が可能となるようになっている。
【００３０】
（２）  定量給湯
定量給湯／キッチンタイマースイッチ４２を１回押すと、設定量変更スイッチ４３，４４が光り、該設定量変更スイッチ４３，４４で給湯量が設定されると、ロック解除スイッチ３９が光り、該ロック解除スイッチ３９を押すと、給湯スイッチ３８が光り、給湯スイッチ３８を押すと、液晶表示部４７における時刻／数量表示部４７ａに表示されている定量給湯量表示が給湯とともに自動的に減算され、０ｍｌになると、給湯が自動停止される。この間、給湯スイッチ３９は押し続けられる。このようにすると、定量給湯時におけるスイッチ操作が、定量給湯／キッチンタイマースイッチ４２→設定量変更スイッチ４３，４４→ロック解除スイッチ３９→給湯スイッチ３８の順にナビゲートされた一方向となり、操作ミスを減少させることができる。
【００３１】
図６は、本実施の形態にかかる電気貯湯容器における制御系の構成を示すブロック図であり、マイクロコンピュータユニット（以下、マイコンという）４９には、前記各種スイッチ類３８〜４４、温度センサー１２および流量センサー２５からの信号が入力され、各種演算処理を行い、その結果が制御信号として電気ヒータ４、電動ポンプ６、液晶表示装置４８およびブザー５０に出力されることとなっている。
【００３２】
前記マイコン４９は、前述した各種制御機能に加えて、電動ポンプ６による給湯量を所定量に設定する定量給湯設定手段としての機能と、該定量給湯設定手段により設定された設定給湯量だけ給湯を行うように前記電動ポンプ６の駆動制御を行う定量給湯制御手段としての機能と、前記定量給湯制御手段による定量給湯の終了後に前記給湯スイッチ３８がＯＦＦ操作された場合には、その後第１の設定時間ｔｓ1（例えば、１秒）が経過した後において給湯スイッチ３８をＯＮ操作すれば前記電動ポンプ６の駆動による再定量給湯が開始される機能と、前記定量給湯制御手段による定量給湯の終了後に給湯スイッチ３８を継続してＯＮ操作し続けても前記電動ポンプ６の駆動が禁止される機能と、前記定量給湯制御手段による定量給湯の終了後に給湯スイッチ３８がＯＦＦ操作された場合には、その後第１の設定時間ｔｓ1（例えば、１秒）が経過する前に給湯スイッチ３８をＯＮ操作しても前記電動ポンプ６の駆動が禁止される機能と、前記第１の設定時間の経過後であって第２の設定時間が経過した場合には定量給湯モードが解除されるとともに給湯ロックモードに自動的に移行して初期状態となす機能とを有している。
【００３３】
ついで、図７に示すフローチャートを参照して、上記構成の電気貯湯容器における定量給湯終了後の制御について説明する。
【００３４】
ステップＳ１において定量給湯／キッチンタイマースイッチ４２がＯＮ操作され、設定量変更スイッチ４３，４４によって設定された設定給湯量Ａがマイコン４９に読み込まれて、液晶表示装置４８に設定給湯量が表示され、ステップＳ２において給湯スイッチ３８がＯＮ操作されると、ステップＳ３において電動ポンプ６の駆動が開始されて定量給湯動作が開始される。
【００３５】
すると、給湯通路５を介しての定量給湯が開始されることとなり、給湯通路５内をお湯が流出されるため、流量センサー２５の回転体２７に設けられた遮光羽根３２，３２による光センサー２８の遮光回数から回転体２７の回転数が測定される。該回転数は、マイコン４９内において給湯通路５を流れるお湯の流量に換算される。この定量給湯の過程では、液晶表示装置４８に表示されている設定給湯量から給湯分だけ減算される。
【００３６】
ステップＳ４において定量給湯が終了した（換言すれば、給湯量が設定給湯量に到達した）か否かの判定がなされ、ここで肯定判定されるまで上記定量給湯動作は継続されるが、ステップＳ４において肯定判定されると、ステップＳ５においてブザー５０が５００ｍｓ×１回の間隔で吹鳴され、ステップＳ６において給湯不可状態（即ち、電動ポンプ６の駆動が禁止された状態）とされ、ステップＳ７において液晶表示装置４８における給湯量表示が点滅される。つまり、給湯不可状態とされるとともに、給湯不可状態となっていることが、ブザー５０の吹鳴および給湯量点滅表示によりユーザに報知されることとなっているのである。
【００３７】
そして、ステップＳ８において給湯スイッチ３８がＯＦＦ操作されたか否かの判定がなされ、ここで肯定判定された場合には、ステップＳ９において第１の設定時間ｔｓ1を設定するためにマイコン４９に内蔵されている１秒タイマーがスタートされ、ステップＳ１０において１秒経過したと判定されると、ステップＳ１１においてブザー５０が１００ｍｓ×１回の間隔で吹鳴され、ステップＳ１２において給湯不可状態が解除（即ち、電動ポンプ６の駆動禁止状態が解除）され、ステップＳ１３において液晶表示装置４８における給湯量表示が点灯表示に変わる。つまり、給湯不可状態が解除されるとともに、給湯不可状態が解除されたことが、ブザー５０の吹鳴および給湯量点灯表示によりユーザに報知されることとなっているのである。
【００３８】
ついで、ステップＳ１４において第２の設定時間ｔｓ2を設定するためにマイコン４９に内蔵されている２０秒タイマーがスタートされ、ステップＳ１７において２０秒が経過したと判定される前、あるいはステップＳ１８においてロック解除スイッチ３９がＯＮ操作（即ち、ロック操作）されなかったと判定された場合に、ステップＳ１５において給湯スイッチ３８がＯＮ操作されたと判定されると、ステップＳ１６において給湯量表示→０とされた後、ステップＳ３に戻り、以降の制御が繰り返される。
【００３９】
一方、ステップＳ１７あるいはステップＳ１８において肯定判定された場合には、ステップＳ１９において給湯ロック状態（即ち、給湯スイッチ３８をＯＮ操作しても電動ポンプ６が駆動されない状態）とされ、ステップＳ２０において定量給湯モードが解除されて通常給湯モードへと移行され、その後ステップＳ１へリターンする。
【００４０】
上記したように、本実施の形態においては、定量給湯の終了後に給湯スイッチ３８がＯＦＦ操作された場合には、その後第１の設定時間ｔｓ1（例えば、１秒）が経過した後においては、給湯スイッチ３８をＯＮ操作すれば電動ポンプ６の駆動による再給湯が開始されることとなっているので、定量給湯終了後に一旦給湯スイッチがＯＦＦ操作されてから第１の設定時間ｔｓ1（例えば、１秒）の経過を待つという確認作業の後に、給湯スイッチ３８のＯＮ操作により繰り返し給湯が可能となり、使い勝手が良好となる。
【００４１】
また、給湯スイッチ３８のＯＦＦ操作後における第１の設定時間ｔｓ1（例えば、１秒）の経過後であって、第２の設定時間ｔｓ2（例えば、２０秒）が経過した場合あるいはロック解除スイッチ３９のＯＮ操作時（即ち、ロック操作時）には給湯ロックモードに移行するようにしているので、第２の設定時間ｔｓ2（例えば、２０秒）が経過した後あるいはロック解除スイッチ３９のＯＮ操作時（即ち、ロック操作時）においては、不用意な給湯を防止することができることとなり、安全性が高くなる。
【００４２】
また、定量給湯終了後の再給湯の開始時においては給湯量の表示を初期状態に戻すようにしているので、再給湯開始時からの給湯量表示を行うことができることとなり、給湯量表示が明確となる。
【００４３】
また、定量給湯終了後の再給湯時の定量給湯量の設定を、前回の設定が継続するようにしているので、同じ量の定量給湯を繰り返し行うことができることとなり、給湯のために順番に並んだユーザが同一の湯量を必要とする場合に極めて便利となる。
【００４４】
また、第２の設定時間ｔｓ2（例えば、２０秒）の経過後には定量給湯モードが解除されるようにしているので、第２の設定時間ｔｓ2（例えば、２０秒）の経過後においてはユーザの希望に応じた給湯方式を選択することができることとなり、使い勝手がよくなる。
【００４５】
また、定量給湯の終了後に給湯スイッチ３８を継続してＯＮ操作し続けても電動ポンプ６の駆動が禁止されて給湯不可状態とされるようになっているので、繰り返して定量給湯を行う意識がユーザに無いのに、給湯スイッチ３８から指を離さなかったというだけで、不用意に給湯されてしまうということがなくなり、安全性が向上する。
【００４６】
また、定量給湯の終了後に給湯スイッチ３８がＯＦＦ操作された場合には、その後第１の設定時間ｔｓ1（例えば、１秒）が経過する前に継続して給湯スイッチ３８をＯＮ操作しても、電動ポンプ６の駆動が禁止されて給湯不可状態とされるようになっているので、繰り返して定量給湯を行う場合には、給湯スイッチ３８のＯＦＦ操作後第１の設定時間ｔｓ1（例えば、１秒）が経過するまで待つという定量給湯の終了確認が行われることとなり、不用意な給湯が防止され、安全性が向上する。
【００４７】
また、電動ポンプ６の駆動禁止状態あるいは駆動禁止解除状態をブザー５０の吹鳴および給湯量の点滅あるいは点灯表示によりユーザに知らしめるようにしているので、電動ポンプ６の駆動禁止状態あるいは駆動禁止解除状態をユーザが容易に確認できることとなり、故障と勘違いすることがなくなる。
【００４８】
なお、上記実施の形態において、定量給湯の終了時における給湯量をマイコン４９に格納しておき、当該給湯量を次回の定量給湯時にマイコン４９から読み出すようにすることもできる。このようにすれば、使用するお湯の量が一定な場合に、一々定量給湯量を設定し直す必要がなくなり、便利となる。
【００４９】
第２の実施の形態
図８には、本願発明の第２の実施の形態にかかる電気貯湯容器における定量給湯終了後の制御の内容を示すフローチャートが示されている。
【００５０】
この場合、定量給湯終了後において、給湯スイッチ３８が一旦ＯＦＦ操作されてから、第１の設定時間ｔｓ1（例えば、１秒）が経過した後には、定量給湯モードが解除されて通常給湯モードに移行され、以後通常給湯が行えるようにしている。
【００５１】
ついで、図８に示すフローチャートを参照して、上記構成の電気貯湯容器における給湯中断終了後の制御について説明する。
【００５２】
ステップＳ１からステップＳ１２までの制御は、第１の実施の形態のフローチャートにおけると同様なので、説明を省略する。
【００５３】
ステップＳ１２において給湯不可状態が解除（即ち、電動ポンプ６の駆動禁止状態が解除）されると同時に、ステップＳ１３において定量給湯モードが解除されて通常給湯モードへと移行され、ステップＳ１４において液晶表示装置４８における給湯量表示が点灯表示に変わる。つまり、給湯不可状態が解除されると同時に、定量給湯モードから通常給湯モードへと移行され、給湯不可状態が解除されて通常給湯モードに移行したことが、ブザー５０の吹鳴および給湯量点灯表示によりユーザに報知されることとなっているのである。
【００５４】
ついで、ステップＳ１５において第２の設定時間ｔｓ2を設定する２０秒タイマーがスタートされ、ステップＳ１９において２０秒が経過したと判定される前、あるいはステップＳ２０においてロック解除スイッチ３９がＯＮ操作（即ち、ロック操作）されなかったと判定された場合に、ステップＳ１６において給湯スイッチ３８がＯＮ操作されたと判定されると、ステップＳ１７において給湯量表示→０とされた後、ステップＳ１８において通常給湯動作が実行され、その後ステップＳ１へリターンする。
【００５５】
一方、ステップＳ１９あるいはステップＳ２０において肯定判定された場合には、ステップＳ２１において給湯ロック状態（即ち、給湯スイッチ３８をＯＮ操作しても電動ポンプ６が駆動されない状態）とされ、その後ステップＳ１へリターンする。
【００５６】
上記したように、本実施の形態においては、定量給湯終了後において、給湯スイッチ３８が一旦ＯＦＦ操作されてから、第１の設定時間ｔｓ1（例えば、１秒）が経過した後には、定量給湯モードが解除されて通常給湯モードに移行され、以後通常給湯が行えるようにしているので、定量給湯よりも通常給湯が多用される使用形態に対応できることとなり、使い勝手がよくなる。
【００５７】
その他の構成および作用効果は、第１の実施の形態におけると同様なので説明を省略する。
【００５８】
ところで、上記実施の形態においては、流量測定手段として、ひかりセンサー式の流量センサーを採用しているが、プロペラ式、電動ポンプ連動式、磁気センサー式等のものを採用することもできる。
【発明の効果】
【００５９】
請求項１の発明によれば、湯沸かし用の内容器と、該内容器を加熱する加熱手段と、前記内容器内の湯を給湯通路を介して給湯する電動ポンプと、該電動ポンプの発停を制御する給湯スイッチと、前記電動ポンプによる給湯量を所定量に設定する定量給湯設定手段と、該定量給湯設定手段により設定された設定給湯量だけ給湯を行うように前記電動ポンプの駆動制御を行う定量給湯制御手段とを備えた電気貯湯容器において、前記定量給湯制御手段による定量給湯の終了後に前記給湯スイッチがＯＦＦ操作された場合には、その後第１の設定時間が経過した後において前記給湯スイッチをＯＮ操作すれば前記電動ポンプの駆動による再定量給湯が開始されるようにしたので、定量給湯終了後に一旦給湯スイッチがＯＦＦ操作されてから第１の設定時間の経過を待つという確認作業の後には、給湯スイッチのＯＮ操作により繰り返し定量給湯が可能となり、使い勝手が良好となるという効果がある。しかも、前記第１の設定時間の経過後であって第２の設定時間が経過した場合には定量給湯モードが解除されるとともに給湯ロックモードに自動的に移行して初期状態となるように構成しているので、第２の設定時間が経過した後においては、不用意な給湯を防止することができることとなり、安全性が高くなるという効果もある。
【００６０】
請求項２の発明によれば、湯沸かし用の内容器と、該内容器を加熱する加熱手段と、前記内容器内の湯を給湯通路を介して給湯する電動ポンプと、該電動ポンプの発停を制御する給湯スイッチと、前記電動ポンプによる給湯量を所定量に設定する定量給湯設定手段と、該定量給湯設定手段により設定された設定給湯量だけ給湯を行うように前記電動ポンプの駆動制御を行う定量給湯制御手段とを備えた電気貯湯容器において、前記定量給湯制御手段による定量給湯の終了後に前記給湯スイッチがＯＦＦ操作された場合には、その後第１の設定時間が経過した後において第２の設定時間が経過する前には前記給湯スイッチをＯＮ操作すれば定量給湯モードが解除されて前記電動ポンプの駆動による通常給湯が開始されるようにしたので、定量給湯の終了後に給湯スイッチがＯＦＦ操作された場合には、その後第１の設定時間が経過した後において第２の設定時間が経過する前には、前記給湯スイッチをＯＮ操作すれば定量給湯モードが解除されて電動ポンプの駆動による通常給湯が開始されることとなり、定量給湯終了後に一旦給湯スイッチがＯＦＦ操作されてから第１の設定時間の経過を待つという確認作業の後には、給湯スイッチのＯＮ操作により通常給湯が可能となり、使い勝手が良好となるという効果がある。しかも、前記第２の設定時間が経過した場合には給湯ロックモードに自動的に移行して初期状態となるように構成しているので、第１の設定時間の経過後であって第２の設定時間が経過した後においては、給湯ロックモードに自動的に移行して初期状態となるところから、不用意な給湯を防止することができることとなり、安全性が高くなるという効果もある。
【図面の簡単な説明】
【００６１】
【図１】本願発明の第１の実施の形態にかかる電気貯湯容器の縦断面図である。
【図２】本願発明の第１の実施の形態にかかる電気貯湯容器における操作パネル部の平面図である。
【図３】本願発明の第１の実施の形態にかかる電気貯湯容器における流量センサーの拡大縦断側面図である。
【図４】本願発明の第１の実施の形態にかかる電気貯湯容器における流量センサーの拡大横断平面図である。
【図５】本願発明の第１の実施の形態にかかる電気貯湯容器における流量センサーの構成部品である回転体を示し、（イ）は側面図、（ロ）は平面図である。
【図６】本願発明の第１の実施の形態にかかる電気貯湯容器における制御系のブロック図である。
【図７】本願発明の第１の実施の形態にかかる電気貯湯容器における定量給湯終了後の制御の内容を示すフローチャートである。
【図８】本願発明の第２の実施の形態にかかる電気貯湯容器における定量給湯終了後の制御の内容を示すフローチャートである。
【符号の説明】
【００６２】
１は容器本体、２は蓋体、３は内容器、４は加熱手段（電気ヒータ）、５は給湯通路、６は電動ポンプ、２５は流量測定手段（流量センサー）、３８は給湯スイッチ、３９はロック解除スイッチ、４２は定量給湯スイッチ（定量給湯／キッチンタイマースイッチ）、４３，４４は定量給湯設定手段（設定量変更スイッチ）、４８は液晶表示装置、４９はマイコン、５０はブザー。
【図１】
0003543780.tif 000002
【図２】
0003543780.tif 000003
【図３】
0003543780.tif 000004
【図４】
0003543780.tif 000005
【図５】
0003543780.tif 000006
【図６】
0003543780.tif 000007
【図７】
0003543780.tif 000008
【図８】
0003543780.tif 000009